(57)【要約】【課題】従来のエアコン用などのダイヤル式スイッチにおいては、夜間にはダイヤル面のみが光るものであったので、運転席から離れた場所に設けられているときには、位置確認が困難であるなど取り扱い上の問題点を生じていた。【解決手段】本発明により、ノブ正面部と共にノブ側面部も所望の色彩で光るようにしたことで、夜間時に運転席から離れた場所に取付けられる状態においても、側面から観視することで色彩光などにより明確に場所が認識でき、取り扱い性が向上する。また本発明の構成とすることで、ノブ正面部を押すことで、エアコンのＯＮ／ＯＦＦなど機能の切換も可能とするので、操作性が向上する。【選択図】図２Ａ
2010097713.tif 000002
【特許請求の範囲】
【請求項１】
透光性部材で形成され略円板状の表示意匠部を有し裏面側に筒状部が設けられた表示部と、乳白色樹脂で形成され前記表示部の前記表示意匠部の外径に沿い回動自在とされて正面指標部とノブ側面部とが設けられたノブダイヤルリングと、前記ノブダイヤルリングの前記ノブ側面部と接続されて一体に回動しエンコードスイッチの接点の選択を行う摺動部と、略筒状に形成されて基板側に取付けが行われるハウジングと、有色透明樹脂で形成され前記ノブダイヤルリングの前記筒状部に接続されるスライダーと、前記スライダー内に前記ハウジングにより前記表示部から適宜距離を有して支持され透明部材で前記基板側を尖端とする略ホーン状に形成された導光リングとから成り、前記導光リングの尖端側には光源が設けられて前記表示意匠部を直射光で照明すると共に、前記導光リングの表示部側には前記光源から取り込んだ光を外周方向への略直角方向に向けて反射する反射部が設けられ、前記反射部により前記導光リング外に放出される光により、前記表示部と前記ノブダイヤルリングの側面とが照明されることを特徴とするダイヤル式スイッチ。
【請求項２】
前記スライダーの前記表示部に接続されている部分の近傍の肉厚は、前記表示部が押圧されたときの前記表示部の移動ストロークよりも大きい範囲が同一肉厚とされていることを特徴とする請求項１記載のダイヤル式スイッチ。
【請求項３】
前記光源は、前記表示部への直射光による照明と、前記導光リング内へ光を入射させるのに充分な照射角を有する白色ＬＥＤランプであることを特徴とする請求項１又は請求項２に記載のダイヤル式スイッチ。
【発明の詳細な説明】
【技術分野】
【０００１】
本発明は、車両用空調装置を制御するためにインパネ（インスツルメント・パネル）など運転席から制御可能な位置に取付けられ、夜間走行時には他のスイッチ類との識別が明確となるように照明の組込みが必要とされるスイッチの構成に関するものである。
【背景技術】
【０００２】
従来のこの種のダイヤル式スイッチ９０の構成の例を示すものが図４及び図５であり、先ず図４に正面図で示すように、中心部には、例えば、エアコンの設定温度を示す固定表示板９１が設けられており、この固定表示板９１を囲んでは指標９２ａが設けられた回動ノブ９２が、前記固定表示板９１を中心として回動可能に設けられている。そして、前記回動ノブ９２を回し、前記指標９２ａを所望の温度に合致させれば、車室内は、設定された温度に保たれるものとなる。
【０００３】
図５はダイヤルスイッチ９０の内部構造を示す断面図であり、このダイヤルスイッチ９０においては、基板９３に取付けられた光源９４と、基板９３に取付けられたホルダ９８に支持されて、少なくとも一部が透明部材による導光部９５ａで形成された略スリバチ状のカバー９５が設けられている。そして、前記光源９４からの正面寄りの光は前記カバー９５の先端に設けられた開口９５ｂから前記固定表示板９１を背面から直射光で照明するようにされている。
【０００４】
また、前記光源９４からの光の斜め方向に放射されるものは前記導光部９５ａ内に導入され、内面反射を繰り返しながら回動ノブ９２の指標９２ａに達し、この指標９２ａを背面から照明する。よって、夜間時においても、固定表示板９１及び指標９２ａが照明されているので、指標９２ａを固定表示板９１の所望の位置に合致させることが可能となる。尚、前記回動ノブ９２の外径には円筒状のツマミ部９２ｂが取付けられている。
【０００５】
そして、前記ツマミ部９２ｂには可動接点９６が設けられ、基板９３には固定接点９７が設けられているので、前記ツマミ部９２ｂにより指標９２ａを固定表示板９１上の所望の数値に合致させることで、所望の車室内環境が得られるものとなる。尚、回動ノブ９２において指標９２ａの部分以外の照明も望む場合には、前記導光板９５は指標９２ａに対応する以外の部分も導光性を有する部材で作成すれば良いとも記載されている。
【特許文献１】特開２００２−２３１１０１号公報
【発明の開示】
【発明が解決しようとする課題】
【０００６】
しかしながら、近来においては、自動車の制御も複雑化し、インパネなどに取付けられる操作ノブ、操作ボタンなどの数も増えている。また、例えば、夜間のみしか使用しないもの、天候など特定の条件下のみにしか使用しないものなども多々あり、使用頻度に差を生じるものであることも事実である。
【０００７】
したがって、上記した従来のエアコン用のダイヤルスイッチ９０のように、比較的に使用頻度が高いものに対しては、比較的に使用頻度が低い操作ノブに対して、例えば夜間走行時など視認性が低下する状態であっても、明らかに他の使用頻度が低いものと識別が可能な態様としておくことが、安全の確保の点からも有利であると考えられる。
【課題を解決するための手段】
【０００８】
本発明は、前記した従来の課題を解決するための具体的手段として、透光性部材で形成され略円板状の表示意匠部を有し裏面側に筒状部が設けられた表示部と、乳白色樹脂で形成され前記表示部の前記表示意匠部の外径に沿い回動自在とされて正面指標部とノブ側面部とが設けられたノブダイヤルリングと、前記ノブダイヤルリングの前記ノブ側面部と接続されて一体に回動しエンコードスイッチの接点の選択を行う摺動部と、略筒状に形成されて基板側に取付けが行われるハウジングと、有色透明樹脂で形成され前記ノブダイヤルリングの前記筒状部に接続されるスライダーと、前記スライダー内に前記ハウジングにより前記表示部から適宜距離を有して支持され透明部材で前記基板側を尖端とする略ホーン状に形成された導光リングとから成り、前記導光リングの尖端側には光源が設けられて前記表示意匠部を直射光で照明すると共に、前記導光リングの表示部側には前記光源から取り込んだ光を外周方向への略直角方向に向けて反射する反射部が設けられ、前記反射部により前記導光リング外に放出される光により、前記表示部と前記ノブダイヤルリングの側面とが照明されることを特徴とするダイヤル式スイッチを提供することで、夜間においても認識しやすいダイヤル式スイッチとすると共に動作切換スイッチとの兼用も可能として課題を解決するものである。
【発明の効果】
【０００９】
本発明により、エアコン操作用のノブを、該ノブ側面からも光を射出できるものとして、他のノブとの識別を容易なものとし、また、存在位置も明確に認識できるものとして、他の用途のノブに触れるなどの誤操作を防止することを可能とする。また、前記意匠操作部を押して切換操作を行うときにも、照明に顕著な明るさの変化を生じないものとして、運転者に違和感を生じさせないものとし品質感の向上を可能とする。
【発明を実施するための最良の形態】
【００１０】
つぎに、本発明を図に示す実施形態に基づいて詳細に説明する。図１に示すものは、本発明に係るダイヤル式スイッチ１０を示す正面図であり、エアコンの調整などとして通常に使用されているものと形状的にはほぼ同じであり、サイズ的にも従来のものとほぼ同様であるので、よって、従来例のものに代替するときにも、サイズ的な面、操作方法の面での支障を来すことはない。
【００１１】
本発明のダイヤル式スイッチ１０においても、運転席などから正面視した状態では、図１に示すように、中心には、例えば、設定温度などが表示されている表示意匠部１が設けられており、この表示意匠部１の外周には、ノブ正面部２ａに指標２ｂが設けられているノブダイヤルリング２が回動自在として設けられている。また、本発明においては、前記ノブダイヤルリング２は乳白色の樹脂を用いて形成されている。
【００１２】
このようにすることで、ノブダイヤルリング２（２ａ、２ｂ、２ｃ、２ｄ）を回動させ、指標２ｂを表示意匠部１に記載された所望の温度に合わせることで、車室内環境は所望の温度に制御される。尚、本発明は、上記の設定方式のみに限定するものではなく、例えば、前記表示意匠部１に行われている温度表示、ノブダイヤルリング２のノブ正面部２ａに設けられる指標２ｂなどを省略し、前記ノブダイヤルリング２を回転することで、このダイヤル式スイッチ１０の近傍に設けられたデジタル表示器などに設定温度を数字で表示するものとしても良いものである。
【００１３】
図２（Ａ）、及び、図２（Ｂ）に示すものは、本発明に係るダイヤル式スイッチ１０の断面図であり、さらに、前記ノブダイヤルリング２にはエンコードスイッチ３の摺動部３ｂ（回転部分）が接続されており、接点及びクリック部３ａが接触するようにされている。このときに、前記摺動部３ｂは前記基板４に固定されたベース部３ｃ（固定部）を軸としており、よって、前記ノブダイヤルリング２に与えられた回転角と同じ角度だけ回転するものとなり、表示部意匠部１と指標２ｂとで表示される温度と室内温度とが対応する。
【００１４】
なお、前記摺動部３ｂは、ベース部３ｃに対して所定の角度回転する毎に使用者に対してクリック感を与えるようにされている。また、スライダースイッチ８は、スライダー孔８ａとハウジング８ｂとスライダー８ｃとスイッチ押圧部８ｄとハウジング固定ネジ８ｅとを備える。
【００１５】
ここで、前記基板４について説明を行うと、この基板４は、第一にはエアコン制御回路が搭載されている。第二には本発明のダイヤル式スイッチ１０をハウジング固定ネジ８ｅによって取り付けて、ダイヤル式スイッチ１０にあるエンコードスイッチ３の端子を半田付けすることにより設定温度の切り替え信号を基板４の制御回路に伝える機能を有する。
【００１６】
そして、本発明では、上記の機能に加えて、第三として、前記ハウジング８ｂは、導光リング９を保持する機能が与えられている。ハウジング８ｂは、ハウジング固定ネジ８ｅによって基板４に取付けられる。また、前記スライダー８ｃは、スイッチ押圧部８ｄが一体に構成され、表示部１と組合わされている。前記スライダー８ｃは、前記ハウジング８ｂの内側に保持されている。
【００１７】
但し、このときには、前記スライダー８ｃは、前記ハウジング８ｂに対して完全に固定されているものではなく、図２（Ｂ）に示すようにスライダー８ｃ先端のスイッチ押圧部８ｄが前記動作切換スイッチ７を作動させるために前記表示意匠部１が押圧されたときには、前記スライダー８ｃのみが摺動するように前記表示意匠部１の操作方向に沿うスライド孔８ａが設けられている。尚、前記スライダー８ｃは、例えば青色透明など有色透明な部材を用いて形成されている。
【００１８】
このようにしたことで、前記表示意匠部１が押圧されたときにも、前記ホルダ６にハウジング８ｂで固定される前記導光リング９は基板４に対して移動を生じることなく、即ち、光源５との距離を変えることはない。これに対して、前記表示意匠部１に接続されている前記スライダー８ｃは、前記スライド孔８ａにより導光リング９の表面上を摺動して図示の状態で下方に移動し、前記動作切換スイッチ７を押して作動させ、例えば、エアコン機器の手動／自動の切り替えや、エアコンのＯＮ／ＯＦＦを行う。
【００１９】
ついで、図３により光源５及び導光リング９の機能について説明を行えば、無色透明部材で略ホーン型に形成された前記導光リング９には、その先端側に前記光源５からのほぼ正面方向へ向かう光で前記表示意匠部１を照明する平坦部９ａが設けられ、斜め方向に向かう光は導光路９ｂ内を透過するものとなる。
【００２０】
そして、前記導光リング９の表示意匠部１寄りの適宜位置には前記導光路を透過してきた光を外側に向けて略直角方向に反射させる反射部９ｃが設けられており、前記導光路９ｂを透過してきた光のほぼ全てを、円周方向状に反射するものとする。したがって、前記反射部９ｃで反射が行われた光はスライダー８ｃを透過した後にノブダイヤルリング２に入射するものとなる。
【００２１】
ここで、前記したように前記スライダー８ｃは有色透明部材で形成されているので、前記ノブダイヤルリング２に入射が行われた時点では、例えば青色などに着色が行われた光となっており、前記ノブダイヤルリング２内を透過する光は着色光となると共に、ノブダイヤルリング２が乳白色の部材で形成されていることで、拡散光となりノブダイヤルリング２内を透過する。
【００２２】
よって、本発明によれば、ノブ正面部２ａとノブ側面部２ｅとがノブキャップ２ｄで分断されている本発明の形状においても、ほぼ同様な着色光で光輝するものとなり、このときにはスライダー８ｃが形成した色で光輝するので、非点灯時（昼間時）との印象を変えることができる。
【００２３】
ここで、前記スライダー８ｃは、前記表示意匠部１の押圧により上下方向に位置を変え、前記動作切換スイッチ７を作動させるものであるので、当然に前記導光リング９の反射部９ｃに相対する位置が変化するものとなる。したがって、前記表示部１を押圧したときのストロークに対応するスライダー８ｃの当該の位置は同じ板厚としておき、押圧により前記ノブダイヤルリング２の色に変化を生じないようにしている。
【００２４】
また、本発明により前記導光リング９は、ハウジング８ｂにより基板４に対する位置（距離）を固定されているので、前記表示意匠部１に押圧が加えられたときにも、導光リング９と光源５との位置関係に変化を生じない。よって、表示意匠部１に押圧が加えられたときにも、例えば、導光リング９と光源５との距離が変化し、導光リング９を透過する光量が変化するなどの事態を生じることはない。よって、原則的に表示意匠部１への押圧が、前記ノブダイヤルリング２への配光に変化を与えることはない。但し表示意匠部の押圧により意識的に変化を求めるときにはこの限りではない。
【００２５】
以上に説明したように、本発明によれば、ノブ正面部２ａのみでなく、ノブ側面部２ｅも発光するものとなるので、夜間時などにおいてもインパネにおける位置が明確に認識され、操作の迅速性を向上させることができる。また、例えば、複数のノブが併設されている場合などには、色違いなどとすることで、それぞれの機能を正面から見なくでも判別でき、同様に操作性が向上する。また、本発明の構成とすることで、例えば、エアコン機器の手動／自動の切り替えや、エアコンのＯＮ／ＯＦＦを行うときには、ノブ正面部２ａを押すのみで良く、操作性も向上するものとなり、このときに照明の極端な明るさ変化なども生じないので、運転者に違和感を生じるのを防止する。
【図面の簡単な説明】
【００２６】
【図１】本発明に係るダイヤル式スイッチを示す正面図である。
【図２Ａ】図１のＡ−Ａ線に沿う断面図である。
【図２Ｂ】図１のＢ−Ｂ線に沿う断面図である。
【図３】導光リングの反射部近傍における光の光路を示す説明図である。
【図４】従来例を示す正面図である。
【図５】従来例の断面図である。
【符号の説明】
【００２７】
１…表示意匠部
１ａ…筒状部
２…ノブダイヤルリング
２ａ…ノブ正面部
２ｂ…指標
２ｃ…ノブベース
２ｄ…ノブキャップ
２ｅ…ノブ側面部
３…エンコードスイッチ
３ａ…接点部及びクリック部
３ｂ…摺動部（回転部）
３ｃ…ベース部（固定部）
４…基板
５…光源
７…動作切換スイッチ
８…スライダースイッチ
８ａ…スライド孔
８ｂ…ハウジング
８ｃ…スライダー
８ｄ…スライダー押圧部
８ｅ…ハウジング固定ネジ
９…導光リング
９ａ…平坦部
９ｂ…導光路
９ｃ…反射部
１０…ダイヤル式スイッチ
【図１】
2010097713.tif 000003
【図２Ａ】
2010097713.tif 000004
【図２Ｂ】
2010097713.tif 000005
【図３】
2010097713.tif 000006
【図４】
2010097713.tif 000007
【図５】
2010097713.tif 000008